(57)【要約】【課題】表示プレートを取り付けることにより、この表示プレートに牛の種類や親牛の名前等必要な情報を表示できる。【解決手段】弾性体よりなるＣ字状環体の一端に矢尻状の突刺杆を設け、他端に、全体形状を前記Ｃ字状環体の本体よりも大きい径のブロック状とし、前記突刺杆が挿入する挿通孔を形成し、この挿通孔に前記突刺杆に形成した係止段部が係止するブロック係止部を形成した牛の鼻輪において、前記ブロック係止部に爪挿入孔を設け、係止爪を突出させた表示プレートをブロック係止部外面に前記爪挿入孔への係止爪の挿入係止で取り付ける。【選択図】  図１
2011115091.tif 000002
【特許請求の範囲】
【請求項１】
弾性体よりなるＣ字状環体の一端に矢尻状の突刺杆を設け、他端に、前記突刺杆が挿入し、かつ係止する挿通孔を形成したブロック状の係止部を形成した牛の鼻輪において、前記ブロック状の係止部に爪片挿入孔を設け、係止爪片を脚状に突出させた表示プレートをブロック状の係止部外面に前記爪片挿入孔への係止爪片の挿入係止で取り付けることを特徴とする牛の鼻輪。
【請求項２】
ブロック状の係止部は直方体であり、爪片挿入孔はその前後面の両方に設け、前後面のどちらへも表示プレートを取り付け可能とする請求項１記載の牛の鼻輪。
【発明の詳細な説明】
【技術分野】
【０００１】
本発明は、ロープ等の係留などに使用する牛の鼻に装着する鼻輪に関するものである。
【背景技術】
【０００２】
牛の鼻輪は、これにロープ等の係留して引っ張ったりするもので、古くは、農作業の際に牛にいう事を聞かせたり、爪切りや、病気の治療などの管理の際に体の大きな牛を扱いやすくするための物である。
【０００３】
かかる牛の鼻輪として、下記特許文献にあるように、弾性体よりなるＣ字状環体の一端に突刺杆を設け、他端に前記突刺杆が係止する結合部を設けたものが知られている。
【特許文献１】特公昭５６−３１０８３号公報
【特許文献２】特開平１０−８４８０４号公報
【特許文献３】特開平１１−１６９００８号公報
【０００４】
これは、図１１〜図１４にも示すように硬質合成樹脂製リングの一箇所を分離させてＣ字状環体１を形成し、一方の分離端に矢尻状の突刺杆２を、他方の分離端に前記突刺杆２が結合する挿通孔５を有する結合部３を形成し、突刺杆２を挿通孔５に挿入し、突刺杆２の基端部の係止段部２ａを結合部３に形成した係止部３ａに係止して穿刺杆２と結合部３を結合することで、穿孔具による鼻中隔への穿孔作業を不要とし、また、鼻輪の装着もリングの一端を突刺杆２を他端の結合部３に挿入するだけの作業で足りるものとして、ネジなどで両端を連結する作業も不要としたものである。
【０００５】
図中４は成形時の脱型のための抜き孔を示し、Ｃ字状環体１の外側の位置に形成してある。
【０００６】
さらに、下記特許文献はＣ字状環体の両端の結合をワンタッチ的に容易に行えることはもちろんのこと、結合強度も十分確保でき、結合後に鼻輪が外れるおそれのないものとして、弾性体よりなるＣ字状環体の一端に穿刺杆を設け、他端に前記穿刺杆が係止する結合部を設けた牛の鼻輪において、前記穿刺杆の先端を矢尻状に形成し、該矢尻状部の基部に係止段部と係止突片を設け、前記結合部には前記穿刺杆が挿入する挿入孔を形成し、該挿入孔に前記穿刺杆の係止段部が係止する係止突片と前記穿刺杆側の係止突片が係止する係止段部を設けたことを内容としている。
【特許文献４】特許第３０３０６２５号公報
【０００７】
この特許文献４によれば、Ｃ字状環体の一端に形成した穿刺杆の側に設けた係止段部と係止突片が、他端に形成した結合部の側に設けた係止突片と係止段部にそれぞれ係止するから、従来のようにＣ字状環体の一端に形成した係止段部と他端に形成した係止突片とによる結合だけではなくなり、しかも、結合部の側は係止段部を形成するためには、係止突片が設けられていない箇所を欠損する加工を施すだけでよく、強度的に弱い係止突片が同じ結合部の側で増加することはないから、鼻輪全体としての強度を低下させることなしに結合強度を向上できる。
【０００８】
しかも、穿刺杆の側に設けた係止突片は、結合部に挿入して外部に顕出しないから、外力によってめくれて係止が解かれることはなく、穿刺杆と結合部との係止が保持される。
【発明の開示】
【発明が解決しようとする課題】
【０００９】
このように牛の鼻輪はそれ自体はロープ等係留するためのものであり、ここに牛の情報を示す手段は設けられていない。
【００１０】
本発明の目的は前記不都合を解消し、表示プレートを取り付けることにより、この表示プレートに牛の種類や親牛の名前等必要な情報を表示できるようにした牛の鼻輪を提供することにある。
【課題を解決するための手段】
【００１１】
請求項１記載の本発明は前記目的を達成するため、弾性体よりなるＣ字状環体の一端に矢尻状の突刺杆を設け、他端に、前記突刺杆が挿入し、かつ係止する挿通孔を形成したブロック状の係止部を形成した牛の鼻輪において、前記ブロック状の係止部に爪片挿入孔を設け、係止爪片を脚状に突出させた表示プレートをブロック状の係止部外面に前記爪片挿入孔への係止爪片の挿入係止で取り付けることを要旨とするものである。
【００１２】
請求項１記載の本発明によれば、係止部をブロック状とし、その外面に表示プレートを取り付けることができるようにしたので、表示プレートに必要情報を記載することにより、これを表示することができる。
【００１３】
請求項２記載の本発明は、ブロック状の係止部は直方体であり、爪片挿入孔はその前後面の両方に設け、前後面のどちらへも表示プレートを取り付け可能とすることを要旨とするものである。
【００１４】
請求項２記載の本発明によれば、前後面のどちらへも表示プレートを取り付け可能とすることで、前面もしくは後面のいずれでも選択して、または、前後面の両方に表示プレートを取り付けることができ、鼻輪を前後を間違えて取り付けてしまった場合や、鼻輪をロープで上げる鼻上げの場合と、鼻上げしないで下に垂らす場合の両方に対応できる。
【発明の効果】
【００１５】
以上述べたように本発明の牛の鼻輪は、表示プレートを取り付けることにより、この表示プレートに牛の種類や親牛の名前等必要な情報を表示できるようにしたものである。
【発明を実施するための最良の形態】
【００１６】
以下、図面について本発明の実施の形態を詳細に説明する。図１は本発明の牛の鼻輪の１実施形態を示す斜視図、図２は同上側面図で、弾性体よりなるＣ字状環体１と、このＣ字状環体１に一体に形成する結合部８と、この結合部８に取り付ける表示プレート１０とからなる。
【００１７】
弾性体よりなるＣ字状環体１は従来例として図１１〜図１４にも示すように、硬質合成樹脂製リングの一箇所を分離させてＣ字状環体１を形成し、一方の分離端に矢尻状の突刺杆２を、他方の分離端に前記突刺杆２が結合する挿通孔５を有する結合部８を形成した。
【００１８】
本実施形態では矢尻状の突刺杆２は杆本体２ｃの先端に四角錐形状の矢尻状部２ｂを形成し、この矢尻状部２ｂの基端部にはこの基端部を縮径するようにして係止段部２ａを形成する。矢尻状部２ｂの基端部の、上下の対向部の箇所では該基端部を切欠くようにして矢尻状部２ｂとほぼ同じ傾斜面を有する係止突片２ｅを設ける。
【００１９】
四角錐形状の矢尻状部２ｂに合わせて杆本体２ｃも断面矩形であり、係止段部２ａの縮径部分から少しの手前側は先端に向かって先細となる当接面２ｄとした。
【００２０】
ブロック状とした結合部８は本実施形態では直方体であり、横長として、Ｃ字状環体１が結合する短手方向の側面と反対側の側面に挿通孔５が形成され、また、直方体の長手方向の中央はわずかに縮径するようにくびれ９を形成している。
【００２１】
挿通孔５は、前記四角な矢尻状の突刺杆２に合わせて、四角な開口であり、内部は前記当接面２ｄを含めて杆本体２ｃが係合する形状とし、結合部８の内部に形成した空間部７に抜ける。
【００２２】
この挿通孔５の空間部７への抜け口には突刺杆２に形成した係止段部２ａが係止する係止部６が形成される。この係止部６は該挿通孔５の空間部７への抜け口に対して押し広がるような係止突片として形成され、外側に開くよう弾性を有する。
【００２３】
また、空間部７の前記係止部６と反対側の対向壁には、突刺杆２の矢尻状部２ｂの先端が挿入される保持孔１１を形成している。
【００２４】
図中４は成形時の脱型のための抜き孔で、これはブロック状とした結合部８に適宜に形成される。
【００２５】
前記結合部８に取り付ける表示プレート１０は、合成樹脂製もしくは金属製であり、図７〜図９に示すように、略矩形の平板１２を本体とし、この平板１２の裏側に係止爪片１３を脚状に突出させた。
【００２６】
係止爪片１３は先端爪部に係止段部１３ａを有し、本実施形態ではこの係止爪片１３を平板１２から４個を四角形に並べて突出させる。
【００２７】
表示プレート１０は、本体である平板１２の表面に牛の種類や親牛の名前等必要な情報１５を表示したものである。この情報１５はトレサビリティを内容とするものであってもよい。表示方法は特に問わず、ホットスタンプによるもの、シールの貼り付けによるもの、刻示したものなど種々選択できる。また、ＩＣチップやＩＣタグを埋設したり、貼り付けたりしてもよい。
【００２８】
一方、前記ブロック状の係止部６には前記係止爪片１３が挿入する爪片挿入孔１４を設ける。
【００２９】
この爪片挿入孔１４は前記４個を四角形に並べて突出させた係止爪片１３の配置に合わせてブロック状の係止部８の広い面に４個を四角形に並べて穿設し、各爪片挿入孔１４の内部には係止爪片１３の係止段部１３ａが掛止する段部１４ａを形成した。
【００３０】
また、爪片挿入孔１４はブロック状の係止部６の前後面の両方に設け、前後面に抜けるようにした。
【００３１】
次にかかる鼻輪を牛の鼻中隔に装着する方法を説明する。図１に示すようにＣ字状環体１の本体１ａを開いた状態にして、一端の穿刺杆２と他端の結合部８とをそれぞれ鼻中隔を境とする左右の鼻孔に挿入し、この状態で穿刺杆２を結合部８とを相互に閉塞すれば、穿刺杆２の先端の矢尻状部２ｂが鼻中隔を突き破って結合部８の挿入孔５内に入り込む。
【００３２】
そして、矢尻状部２ｂは挿通孔５内で結合部８の係止突片として形成された係止部６を外側に押し広げながらさらに奥部へと入り込み、係止部６の先端が矢尻状部２ｂの基部の係止段部２ａに係止して、穿刺杆２が結合部８内に固定される。
【００３３】
この挿入時、穿刺杆２の側の係止突片２ｅはその弾力に抗してすぼまりながら挿通孔５内を進入し、穿刺杆２が挿通孔５を抜け出たところで、その弾力により復位する。（図６参照）その結果、穿刺杆２は挿通孔５を再度通ることはなく、結合部８からの離脱はない。
【００３４】
また、穿刺杆２が結合部８と結合した状態では当接面２ｄを含めて杆本体２ｃが挿通孔５内にしっかりと締結状態で納まり、さらに、穿刺杆２の先端が結合部８の保持孔１１に挿入するから、穿刺杆２と結合部８とは強固に結合し、また、抜き孔４等の窓孔から確認できる。
【００３５】
このように鼻輪を牛の鼻中隔に装着した段階で、もしくは装着する前に、表示プレート１０を結合部８に取り付けるには、結合部８の爪片挿入孔１４に係止爪片１３を差し入れるようにして表示プレート１０を結合部８に重ね合わせればよい。
【００３６】
図５に示すように、爪片挿入孔１４の内部では係止爪片１３の係止段部１３ａが段部１４ａに掛止して抜け出すことはない。特に、対向する係止爪片１３同士では係止段部１３ａが互いに外向きとなるので、この係止爪片１３同士の広がりも加わって、表示プレート１０は係止爪片１３により結合部８にしっかりと固定される。
【００３７】
また、表示プレート１０は結合部８の表面と裏面のいずれでも取り付け可能である。従って、鼻輪を前後を間違えて取り付けてしまった場合や、図１０に示すように、鼻輪をロープで上げる鼻上げの場合でも前面に向けて取り付けることができ、鼻上げしないで下に垂らす場合の両方に対応できる。
【図面の簡単な説明】
【００３８】
【図１】本発明の牛の鼻輪の１実施形態を示す斜視図である。
【図２】本発明の牛の鼻輪の１実施形態を示す側面図である。
【図３】本発明の牛の鼻輪の１実施形態を示す要部の正面図である。
【図４】本発明の牛の鼻輪の１実施形態を示す要部の側面図である。
【図５】図３のＡ−Ａ線断面図である。
【図６】図４のＢ−Ｂ線断面図である。
【図７】表示プレートの平面図である。
【図８】表示プレートの側面図である。
【図９】表示プレートの説明図である。
【図１０】本発明の牛の鼻輪を鼻上げの状態で使用した状態の斜視図である。
【図１１】従来の牛の鼻輪の一部切欠いた正面図である。
【図１２】従来の牛の鼻輪の突刺杆の平面図である。
【図１３】従来の牛の鼻輪の結合部の正面図である。
【図１４】従来の牛の鼻輪を牛に装着した状態の斜視図である。
【符号の説明】
【００３９】
１…Ｃ字状環体                      １ａ…本体
２…突刺杆                          ２ａ…係止段部
２ｂ…矢尻状部                      ２ｃ…杆本体
２ｄ…当接面                        ２ｅ…係止突片
３…結合部                          ３ａ…係止部
４…抜き孔                          ５…挿通孔
６…係止部                          ７…空間部
８…結合部                          ９…くびれ
１０…表示プレート
１１…保持孔                        １２…平板
１３…係止爪片                      １３ａ…係止段部
１４…爪片挿入孔                    １４ａ…段部
１５…情報
【図１】
2011115091.tif 000003
【図２】
2011115091.tif 000004
【図３】
2011115091.tif 000005
【図４】
2011115091.tif 000006
【図５】
2011115091.tif 000007
【図６】
2011115091.tif 000008
【図７】
2011115091.tif 000009
【図８】
2011115091.tif 000010
【図９】
2011115091.tif 000011
【図１０】
2011115091.tif 000012
【図１１】
2011115091.tif 000013
【図１２】
2011115091.tif 000014
【図１３】
2011115091.tif 000015
【図１４】
2011115091.tif 000016